(57)【要約】【課題】メダルを収容箱に移し替え容易であり、収容箱が容易に破損しない受け皿を備える遊技機を提供する。【解決手段】遊技機１０は箱状の受け皿４０と収容箱６を備える。受け皿４０は払出口３８から払い出されるメダルを貯留する。収容箱６は受け皿４０に貯留されたメダルを移し替える矩形の開口６１を有する凹部６０を設ける。受け皿４０は払出口３８と対向する前壁４１を有し、収容箱６は包囲上縁６ａと包囲下縁６ｂを有する。包囲上縁６ａは開口６１の周囲に延在して終縁が凹部６０の底部に向かう方向に屈折する。包囲下縁６ｂは凹部６０の底部から突出して収容箱６の外壁を形成する。前壁４１は突条４ａと一対の支持片４ｂ・４ｂを設ける。突条４ａは包囲上縁６ａの一片に掛止する。一対の支持片４ｂ・４ｂは包囲下縁６ｂの一片を支持する。【選択図】図４
2009106316.tif 000002
【特許請求の範囲】
【請求項１】
本体の下部前面に開口する払出口から払い出される遊技媒体を受け入れて貯留する箱状の受け皿と、
この受け皿に貯留された遊技媒体を移し替える矩形の開口を有する凹部を設ける収容箱と、を備え、
前記受け皿は、前記払出口と対向する前壁を有し、
前記収容箱は、当該開口の周囲に延在して終縁が前記凹部の底部に向かう方向に屈折する包囲上縁と、前記凹部の底部から突出して当該収容箱の外壁を形成する包囲下縁と、を有し、
前記前壁は、上部に突出して前記包囲上縁の一片に掛止する突条と、下部前面に突出して前記包囲上縁の一片に対向する包囲下縁の一片を支持する支持片と、を設けることを特徴とする遊技機。
【請求項２】
前記収容箱は、前記開口の両翼に設けられて把持可能な一対の取っ手を有することを特徴とする請求項１記載の遊技機。
【請求項３】
前記支持片は、前記包囲下縁の一片に係合して前記前壁から離間困難な係合溝を設けていることを特徴とする請求項１又は２記載の遊技機。
【発明の詳細な説明】
【技術分野】
【０００１】
本発明は、遊技機に関する。特に、遊技機の下方に開口された払出口から払い出される遊技媒体を貯留する受け皿を備える遊技機の構造に関する。
【背景技術】
【０００２】
一般に、遊技機の一種であるスロットマシンは、本体の下部前面に遊技媒体を貯留する受け皿を配置している。受け皿は、遊技機の下方に開口された払出口から払い出される遊技媒体を受け入れて一定量、貯える容量を有している。そして、遊技者は、遊技媒体が受け皿から溢れ出ない内に、遊技媒体を掻き寄せて別の収容箱（いわゆる、ドル箱）に移し替えている。この場合、一方の手で収容箱を把持しながら、他方の手で受け皿内の遊技媒体を受け皿の前壁を越えて収容箱に掻き出して移し替えている。
【０００３】
このように、遊技媒体の移し替え作業は、片手で移し替えるため効率が悪く、手間の掛かる作業であった。又、収容箱に移載された遊技媒体の総重量や収容箱に加えられる不測の衝撃などにより、収容箱を片手で支えることが困難となって、収容箱を落下させてしまい、遊技媒体を床に散乱させてしまうことが多々あった。
【０００４】
前述した不具合を解消するため、遊技媒体が受け皿の前壁を越えて遊技媒体の移し替え作業に対して、遊技媒体を受け皿から収容箱に移し替え容易な遊技機が発明されている（例えば、特許文献１参照）。
【０００５】
特許文献１による遊技機は、遊技機内部より払い出される遊技媒体を貯留する受け皿を備え、この受け皿は、外縁の上端部に所定幅の突条部又は所定間隔離れた一対の切欠き部を形成して構成されている。
【０００６】
特許文献１による遊技機は、受け皿の外縁上端部に形成された突条部の幅が収容箱の長手方向の幅よりも狭い所定の幅に設定されることにより、又は、一対の切欠き部の間隔が収容箱の長手方向の幅に対応して離れて設定されることにより、略逆Ｕの字状に曲げられた収容箱の長手方向の周側面の上縁を突条部又は切欠き部間に引っ掛けることができるので、遊技媒体の移し替えを両手で行え、遊技媒体の移し替え作業が効率化できる、としている。
【特許文献１】特開２００３−２６５８０５号公報
【発明の開示】
【発明が解決しようとする課題】
【０００７】
特許文献１による遊技機に用いられる受け皿は、収容箱の長手方向の幅よりも狭い所定の幅に設定された突条部に収容箱を掛止できるので、遊技者がメダル収容箱を不用意に床に落とすことを防止できる、という利点がある。
【０００８】
しかし、特許文献１による遊技機は、略逆Ｕの字状に曲げられた収容箱の長手方向の周側面の上縁には、収容箱に移載された遊技媒体の総重量（垂直荷重）と曲げモーメントとが重複して作用するため、収容箱に移載された遊技媒体の総重量によっては、収容箱の上縁を破損しかねない事態が想定される。一般に、このような遊技機に用いられる収容箱は、合成樹脂で一体成形されており、収容箱の上縁は、垂直荷重と曲げモーメントが重複して作用した場合に耐えられる強度を有していないと考えられるからである。
【０００９】
受け皿及び収容箱の構造を工夫して、受け皿に収容箱を掛止でき、かつ収容箱を容易に破損しないようにできれば、遊技媒体を受け皿から収容箱に移し替えることが容易となり、収容箱の破損に杞憂することなく、安心して遊技媒体を移し替えることができる。このように、受け皿に払い出された遊技媒体を収容箱に移し替え容易であり、収容箱が容易に破損しない受け皿を備える遊技機が望まれる。そして、以上のことが本発明の課題といってよい。
【００１０】
本発明は、このような問題に鑑みてなされたものであり、遊技媒体を収容箱に移し替え容易であり、収容箱が容易に破損しない受け皿を備える遊技機を提供することを目的とする。
【課題を解決するための手段】
【００１１】
本発明者は、上記目的を達成するため、収容箱の長手方向の幅よりも狭い所定の幅に設定された受け皿の突条部に収容箱の上縁を掛止すると共に、収容箱の下縁を支持する支持片を受け皿に設けることにより、上記の課題を解決可能なことを見出し、これに基づいて、以下のような新たな受け皿を備える遊技機を発明するに至った。
【００１２】
（１）  本体の下部前面に開口する払出口から払い出される遊技媒体を受け入れて貯留する箱状の受け皿と、この受け皿に貯留された遊技媒体を移し替える矩形の開口を有する凹部を設ける収容箱と、を備え、前記受け皿は、前記払出口と対向する前壁を有し、前記収容箱は、当該開口の周囲に延在して終縁が前記凹部の底部に向かう方向に屈折する包囲上縁と、前記凹部の底部から突出して当該収容箱の外壁を形成する包囲下縁と、を有し、前記前壁は、上部に突出して前記包囲上縁の一片に掛止する突条と、下部前面に突出して前記包囲上縁の一片に対向する包囲下縁の一片を支持する支持片と、を設けることを特徴とする遊技機。
【００１３】
（１）の発明による遊技機は、箱状の受け皿と収容箱を備えている。受け皿は、本体の下部前面に開口する払出口から払い出される遊技媒体を受け入れて貯留する。収容箱は、受け皿に貯留された遊技媒体を移し替える矩形の開口を有する凹部を設けている。
【００１４】
受け皿は、払出口と対向する前壁を有している。収容箱は、包囲上縁と包囲下縁を有している。包囲上縁は、開口の周囲に延在して、終縁が凹部の底部に向かう方向に屈折している。包囲下縁は、凹部の底部から突出して収容箱の外壁を形成している。一方、前壁は、突条と支持片を設けている。突条は、前壁の上部に突出して、包囲上縁の一片に掛止する。支持片は、前壁の下部前面に突出して、包囲上縁の一片に対向する包囲下縁の一片を支持する。
【００１５】
一般に、スロットマシンなどの遊技機は、前面扉を開閉する筐体を備えている。そして本体は、前面扉と筐体で構成されている。払出口は、本体の下部前面に開口してよく、遊技媒体が払い出される。より実態的には、払出口は、前面扉の下部前面に矩形に開口してよく、筐体の内部に備わるホッパーから遊技媒体が供給されて、遊技媒体が払出口から払い出される。払出口には、投入口に投入された遊技媒体が払出口から直接、払いだされることも有り得る。ここで、遊技媒体は、メダル、コイン、又はトークンとも称される有価価値であってよく、円形の金属板で形成されている。
【００１６】
受け皿は、前面扉に備えられてよく、筐体に備えられてもよい。受け皿は、本体に固定されている。受け皿は、軽金属などの金属体で成形してよく、この金属体にメッキ膜や合成樹脂膜などの皮膜を形成してもよい。受け皿は、合成樹脂で成形してもよい。収容箱は、軽量の透明又は半透明の合成樹脂で成形されることが好ましく、軽金属などの金属で成形してもよい。
【００１７】
受け皿は、払出口と対向する前壁を有してよく、この前壁と対向する後壁、これら前壁及び後壁の両翼に略直交する一対の側壁、及び前壁と後壁と一対の側壁とで囲われる底壁を有してよく、箱状に形成される。
【００１８】
包囲上縁は、収容箱の開口を容易に変形させない補強リブとして機能し、開口の両翼を十分に延在して後述する一対の取っ手を設けることもできる。略Ｕ字状に屈折した包囲上縁は、梁としてみれば曲げモーメントに強い断面形状を有している。更に、（１）の発明は、略Ｕ字状に屈折した包囲上縁を前壁に掛止するフックとして利用している。
【００１９】
包囲下縁は、凹部の底部を容易に変形させない補強リブとして機能し、Ｈ字状に形成される包囲下縁の断面形状は、梁としてみれば曲げモーメントに強い構造となっている。包囲下縁の一片は、支持片に支持されて、遊技媒体の総重量による圧縮応力が作用する。しかし、包囲下縁の一片は、凹部の底部（底板）に結合し、かつ包囲下縁の他片にも結合しているので、容易に破損しない構造となっている。
【００２０】
（１）の発明による遊技機は、受け皿に設けられた突条に収容箱の上縁を掛止すると共に、受け皿に設けられた支持片に収容箱の下縁を支持することにより、両手で遊技媒体を移載できるので遊技媒体の移し替えが容易である。
【００２１】
又、（１）の発明による遊技機は、収容箱に移載された遊技媒体の総重量（垂直荷重）は、包囲下縁の一片が概ね支持（担保）している。包囲上縁は、収容箱の傾き角度に依存する水平分力（引張り荷重）が作用するが、前記傾き角度は僅かであると推定されることから、包囲上縁に作用する水平分力（引張り荷重）は僅かであること判断される。
【００２２】
このように、（１）の発明による遊技機は、収容箱の上縁には、収容箱に移載された遊技媒体の総重量（垂直荷重）と曲げモーメントとが重複して作用しないため、収容箱が容易に破損しない受け皿を備える遊技機を提供できる。
【００２３】
（２）  前記収容箱は、前記開口の両翼に設けられて把持可能な一対の取っ手を有することを特徴とする（１）記載の遊技機。
【００２４】
（２）の発明による遊技機は、収容箱が、把持可能な一対の取っ手を有しているので、受け皿への着脱が容易である。
【００２５】
（３）  前記支持片は、前記包囲下縁の一片に係合して前記前壁から離間困難な係合溝を設けていることを特徴とする（１）又は（２）記載の遊技機。
【００２６】
（３）の発明による遊技機は、収容箱の上縁と下縁が受け皿から容易に離間しない構造を提供できる。
【発明の効果】
【００２７】
本発明による遊技機は、受け皿に設けられた突条に収容箱の上縁を掛止すると共に、支持片を受け皿に設けられた支持片に収容箱の下縁を支持することにより、両手で遊技媒体を移載できるので遊技媒体の移し替えが容易である。又、本発明による遊技機は、収容箱の上縁には、収容箱に移載された遊技媒体の総重量（垂直荷重）と曲げモーメントとが重複して作用しないため、収容箱が容易に破損しない受け皿を提供できる。
【発明を実施するための最良の形態】
【００２８】
以下、図面を参照して本発明を実施するための最良の形態を説明する。
【００２９】
図１は、本発明による遊技機の一実施形態を示す正面図である。図２は、前記実施形態による遊技機の筐体の内部構造を示す斜視外観図であり、前面扉を開けた状態図である。図３は、前記実施形態による遊技機に備わる受け皿を示す斜視外観図である。図４は、前記実施形態による遊技機に備わる収容箱の斜視外観図である。図５は、前記実施形態による遊技機の縦断面図であり、受け皿に収容箱を取り付けた状態図である。
【００３０】
最初に、本発明による遊技機の構成を説明する。図１及び図２において、遊技機１０は、いわゆる「スロットマシン」又は「パチスロ機」である。遊技機１０は、コイン、メダル、又はトークンと呼ばれる有価価値である遊技媒体を用いて遊技する。以下では、遊技媒体はメダルを用いるものとして説明する。
【００３１】
図１及び図２において、本体１２は、遊技機１０の外周を覆っている。遊技機１０は、筐体１１と、筐体１１を開閉する前面扉１３と、を備えている。筐体１１の内部にリールユニット５０が配置されている。筐体１１の内部は、棚４３で上下に仕切られており、棚４３にリールユニット５０が載置されている。
【００３２】
図２において、棚４３の下方には、投入されたメダルを収納、又はメダルを受け皿４０に払い出すホッパー４５や、還元率設定スイッチ４６ａを含む電源ボックス４６が配置されている。棚４３の上方には、遊技機１０を制御するメイン基板（プリント基板）及びサブ基板（プリント基板）を含む制御盤４７などが配置されている。
【００３３】
図１又は図２において、前面扉１３に形成される正面パネル２２には、矩形状の表示窓１４が設けられている。表示窓１４は、個別の表示窓１４Ｌ・１４Ｃ・１４Ｒに区画されている。リールユニット５０には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００３４】
図１において、表示窓１４の下方には、略水平の台座部２８が設けられており、台座部２８の上面右側には、遊技者がメダルを入れるための投入口２５が設けられている。台座部２８の上面左側には、押しボタン操作による三つのＢＥＴスイッチ２９・３０・３１が配置されている。ＢＥＴスイッチ２９は、１回の遊技に１枚のメダルを賭けられる。ＢＥＴスイッチ３０は、１回の遊技に２枚のメダルを賭けられる。ＢＥＴスイッチ３１は、１回の遊技に３枚のメダルを賭けられる。
【００３５】
図１において、台座部２８の前面の左側には、スタートレバー３２が傾動可能に設けられている。スタートレバー３２を遊技者が傾動操作することにより、三つのリール２６Ｌ・２６Ｃ・２６Ｒの回転が一斉に開始される。三つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００３６】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００３７】
図１において、表示窓１４には、横に３本（中央及び上下）及び斜めに２本の入賞ラインが設けられている。ゲーム開始に先立って、遊技者が投入口２５から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００３８】
図１において、スタートレバー３２の左側には、払出しボタン３６が設けられている。遊技者が払出しボタン３６を押動操作したときには、投入されているメダルが本体１２の下部前面に開口する払出口３８から払い出される。払出口３８は、本体１２の略中央に配置されている。払い出されたメダルは、受け皿４０に貯留される。
【００３９】
図１において、箱状の受け皿４０は、本体１２の下部前面に設けられている。又、受け皿４０は、メダルが払い出される払出口３８からメダルを受け入れて貯留できる。例えば、受け皿４０は、前面扉１３に備えられてよく、筐体１１に備えられてもよい。受け皿４０は、本体１２に固定されている。受け皿４０は、軽金属などの金属体で成形してよく、この金属体にメッキ膜や合成樹脂膜などの皮膜を形成してもよい。受け皿４０は、合成樹脂で成形してもよい。
【００４０】
図３において、収容箱６は、軽量の透明又は半透明の合成樹脂で成形されることが好ましく、軽金属などの金属で成形してもよい。収容箱６は、受け皿４０に貯留されたメダルを移し替える矩形の開口６１を有する凹部６０を設けている。メダルを移し替えるにあたり、収容箱６は、受け皿４０に掛止できる。
【００４１】
次に、本発明の実施形態による受け皿４０と収容箱６の構造を説明する。図３又は図４に示されるように、受け皿４０は、払出口３８と対向する前壁４１を有している。収容箱６は、包囲上縁６ａと包囲下縁６ｂを有している。包囲上縁６ａは、開口６１の周囲に延在して、終縁が凹部６０の底部に向かう方向に屈折している（図５参照）。包囲下縁６ｂは、凹部６０の底部から突出しており、収容箱６の外壁を形成している（図５参照）。
【００４２】
一方、図３から図５において、前壁４１は、上部に突出する突条４ａと下部前面に突出する一対の支持片４ｂ・４ｂを設けている。突条４ａは、包囲上縁６ａの一片に掛止できる。突条４ａの両翼には、Ｖ字状の切り欠き４１ａ・４１ａを形成している。
【００４３】
図３から図５において、一対の支持片４ｂ・４ｂは、包囲上縁６ａの一片に対向する包囲下縁６ｂの一片を支持できる。又、支持片４ｂは、包囲下縁６ｂの一片に係合して、前壁４１から離間困難な係合溝４１ｂを設けている。
【００４４】
図３において、受け皿４０は、払出口３８と対向する前壁４１を有しており、前壁４１と対向する後壁４２を有している。更に、受け皿４０は、前壁４１及び後壁４２の両翼に略直交する一対の側壁４３ａ・４４ａと、前壁４１と後壁４２と一対の側壁４３ａ・４４ａとで囲われる底壁４５ａを有しており、箱状に形成されている。他方の側壁４４ａには、灰皿４５ｂが配置されている。
【００４５】
次に、本発明による遊技機の作用を説明する。図４において、収容箱６は、開口６１の両翼に設けられて、把持可能な一対の取っ手６２・６２を有している。ここで、包囲上縁６ａは、収容箱６の開口６１を容易に変形させない補強リブとして機能し、開口６１の両翼を十分に延在して一対の取っ手６２・６２を設けている。
【００４６】
又、図４において、包囲下縁６ｂは、凹部６０の底部を容易に変形させない補強リブとして機能し、Ｈ字状に形成される包囲下縁６ｂの断面形状は、梁としてみれば曲げモーメントに強い構造となっている（図５参照）。
【００４７】
図５に示されるように、収容箱６は、略Ｕ字状に屈折した包囲上縁６ａを前壁４１に掛止するフックとして利用している。包囲下縁６ｂの一片は、一対の支持片４ｂ・４ｂに支持されて、移載されたメダルの総重量による圧縮応力が作用する。しかし、包囲下縁６ｂの一片は、凹部６０の底部（底板）６３に結合し、かつ包囲下縁６ｂの他片にも結合しているので、容易に破損しない構造となっている。
【００４８】
ここで、収容箱６に移載されたメダルの総重量（荷重Ｐ）は、収容箱６の傾き角度に依存する垂直分力Ｐ１を包囲下縁６ｂの一片が概ね支持（担保）している。包囲上縁６ａは、収容箱６の傾き角度に依存する水平分力（引張り荷重）Ｐ２が作用するが、前記傾き角度は僅かであると推定されることから、包囲上縁６ａに作用する水平分力（引張り荷重）Ｐ２は僅かであること判断される。
【００４９】
このように、本発明による遊技機は、収容箱６の上縁には、収容箱６に移載されたメダルの総重量と曲げモーメントとが重複して作用しないため、収容箱６が容易に破損しない受け皿４０を備える遊技機を提供できる。
【００５０】
又、本発明による遊技機は、受け皿４０に設けられた突条４ａに収容箱６の上縁を掛止すると共に、受け皿４０に設けられた一対の支持片４ｂ・４ｂに収容箱６の下縁を支持することにより、両手でメダルを移載できるので、メダルの移し替えが容易である。
【００５１】
又、本発明による遊技機は、収容箱６が、把持可能な一対の取っ手６２を有しているので、受け皿４０への着脱が容易である。更に、本発明による遊技機は、支持片４ｂが包囲下縁６ｂの一片に係合して前壁４１から離間困難な係合溝４１ｂを設けているので、収容箱６の上縁と下縁が受け皿４０から容易に離間しない構造を提供できる。
【図面の簡単な説明】
【００５２】
【図１】本発明による遊技機の一実施形態を示す正面図である。
【図２】前記実施形態による遊技機の筐体の内部構造を示す斜視外観図であり、前面扉を開けた状態図である。
【図３】前記実施形態による遊技機に備わる受け皿を示す斜視外観図である。
【図４】前記実施形態による遊技機に備わる収容箱の斜視外観図である。
【図５】前記実施形態による遊技機の縦断面図であり、受け皿に収容箱を取り付けた状態図である。
【符号の説明】
【００５３】
６  収容箱
４ａ  突条
４ｂ  支持片
１０  遊技機
１２  本体
３８  払出口
４０  受け皿
４１  前壁
６０  凹部
６１  開口
【図１】
2009106316.tif 000003
【図２】
2009106316.tif 000004
【図３】
2009106316.tif 000005
【図４】
2009106316.tif 000006
【図５】
2009106316.tif 000007